(57)【要約】  この治療支援装置（１）は、被検体（Ｐ）に蛍光薬剤（Ｐａ）の励起光（ＥＬ）を照射する第１照明（４）と、照射された励起光（ＥＬ）により蛍光薬剤（Ｐａ）から発せられる蛍光（ＩＲ）を検出する検出部（２）とを含む撮像部（５）と、被検体（Ｐ）に蛍光薬剤（Ｐａ）の励起光（ＥＬ）を照射する携帯型の第２照明（１２）と、画像生成部（１４）とを備える。
2019215796.tif 000002
【特許請求の範囲】
【請求項１】
治療時の被検体の画像を撮像し、治療支援を行う治療支援装置であって、
被検体に蛍光薬剤の励起光を照射する第１照明と、照射された前記励起光により前記蛍光薬剤から発せられる蛍光を検出する検出部とを含む撮像部と、
被検体に前記蛍光薬剤の前記励起光を照射する携帯型の第２照明と、
前記検出部で検出された信号に基づき画像を生成する画像生成部とを備える、治療支援装置。
【請求項２】
前記第２照明は、照射される前記励起光の最大出力値が、前記第１照明から照射される前記励起光の最大出力値以下となるように構成されている、請求項１に記載の治療支援装置。
【請求項３】
前記第１照明は、第１の数の励起光源を備え、
前記第２照明は、前記第１照明の前記第１の数よりも少ない第２の数の励起光源を備える、請求項２に記載の治療支援装置。
【請求項４】
前記第１照明は、被検体に前記励起光を照射する励起光源と、前記励起光源と略同じ位置に配置され、被検体に可視光を照射する可視光源とを含み、
前記第２照明は、被検体に前記励起光を照射する励起光源を含み、
前記検出部は、蛍光を検出する蛍光検出器と、可視光を検出する可視光検出器とを含み、
前記画像生成部は、前記検出部により検出された蛍光および可視光の信号に基づいて、蛍光画像および可視光画像を生成するように構成されている、請求項１〜３のいずれか１項に記載の治療支援装置。
【請求項５】
前記撮像部は、蛍光および可視光を分離するスプリッタをさらに含み、
前記画像生成部は、生成した前記蛍光画像および前記可視光画像を合成した合成画像を生成するように構成されている、請求項４に記載の治療支援装置。
【請求項６】
前記第１照明および前記第２照明のそれぞれは、照射する前記励起光のピーク波長よりも長い波長の光を除去するフィルタをさらに備える、請求項１〜５のいずれか１項に記載の治療支援装置。
【請求項７】
前記第２照明を載置する載置部を装置本体にさらに備え、
前記第２照明は、前記載置部に着脱可能に配置されている、請求項１〜６のいずれか１項に記載の治療支援装置。
【発明の詳細な説明】
【技術分野】
【０００１】
本発明は、治療支援装置に関し、特に、治療時の画像を撮像し、治療支援を行う治療支援装置に関する。
【背景技術】
【０００２】
従来、治療時の画像を撮像し、治療支援を行う治療支援装置が知られている。このような治療支援装置は、たとえば、特開２０１２−０２３４９２号公報に開示されている。【０００３】
上記特開２０１２−０２３４９２号公報には、蛍光薬剤を含む被検体に、可視光および励起光を照射し、被検体の可視光画像および励起光によって蛍光薬剤から発生した蛍光画像を取得し治療支援を行う治療支援装置が開示されている。上記特開２０１２−０２３４９２号公報には、蛍光薬剤が投与された術部に、可視光と励起光とを相互に切り替えて照射し、可視光画像と蛍光画像とを取得する構成が開示されている。なお、蛍光薬剤とは、所定の波長の励起光を吸収することにより、励起光よりも長い波長の蛍光を発する薬剤のことである。上記特開２０１２−０２３４９２号公報では、蛍光薬剤として、インドシアニングリーン（以下、ＩＣＧという）が用いられている。特開２０１２−０２３４９２号公報では、ＩＣＧを被検体に投与し、励起光を照射することによって切除する部位を可視化することにより、治療支援を行っている。【０００４】
また、切除する部位を可視化するという目的以外にも、蛍光薬剤を用いることが知られている。このような蛍光薬剤の使用方法は、たとえば、特開２０１７−０７１６５４号公報に開示されている。特開２０１７−０７１６５４号公報には、励起光を吸収することにより蛍光を発する物質と、がん細胞に選択的に結合する抗体とを結合させた薬剤を被検体に投与し、励起光を照射することによりがん細胞を死滅させる方法が開示されている。上記特開２０１７−０７１６５４号公報では、蛍光薬剤として、ＩＲＤｙｅ（登録商標）７００Ｄｘ（以下、ＩＲ７００という）が用いられている。【０００５】
ここで、上記特開２０１７−０７１６５４号公報に開示されている手法によるがんの治療を行う際の治療光を照射すべき領域（がん領域）を正確に把握するために、蛍光薬剤とがん細胞とが結合した領域の蛍光画像を生成することが考えられる。蛍光薬剤とがん細胞とが結合した領域が明瞭な蛍光画像を生成するために、被検体に照射される励起光の強度を一時的に向上させたい場合がある。しかしながら、被検体に照射される励起光の強度を向上させるために、励起光源の最大出力値を大きくすると、励起光源が高温となり、励起光の出力値が低下してしまうため、励起光源を冷却する必要があるなど、装置構成が複雑化したり、装置が大型化してしまうという不都合がある。また、治療法や治療部位によっては、励起光を照射する被験者を動かさないといけない場合があるという不都合がある。また可視光やその他複数波長で観測が必要な場合、それに応じた励起光の光源が必要となる場合もある。上記のように、治療法や治療部位、照射する励起光の波長などによって、装置に備え付けの励起光源では対応できない場合があるという問題点がある。
【先行技術文献】
【特許文献】
【０００６】
【特許文献１】特開２０１２−０２３４９２号公報
【特許文献２】特開２０１７−０７１６５４号公報
【発明の概要】
【発明が解決しようとする課題】
【０００７】
上記の通りであるため、この発明の目的は、装置に備え付けの励起光源で対応できない場合に、対応可能な治療支援装置を提供することである。
【課題を解決するための手段】
【０００８】
上記目的を達成するために、この発明の一の局面における治療支援装置は、治療時の被検体の画像を撮像し、治療支援を行う治療支援装置であって、被検体に蛍光薬剤の励起光を照射する第１照明と、照射された励起光により蛍光薬剤から発せられる蛍光を検出する検出部とを含む撮像部と、被検体に蛍光薬剤の励起光を照射する携帯型の第２照明と、検出部で検出された信号に基づき画像を生成する画像生成部とを備える。【０００９】
この発明の一の局面における治療支援装置は、上記のように、被検体に蛍光薬剤の励起光を照射する第１照明と、被検体に蛍光薬剤の励起光を照射する携帯型の第２照明とを備える。これにより、携帯型の第２照明によって、第１照明とは異なる位置から被検体に励起光を照射することができる。その結果、第１照明の出力強度を高めたり、第１照明の励起光源の個数を増加させる必要がないので、励起光源が高温になることを抑制することが可能であるとともに、携帯型の第２照明により、被検体に照射する励起光の強度を増加させることができる。また、第２照明が携帯型であり、被検体に対する第２照明の向きや距離を自由に変更できるため、第１照明では励起光を照射しにくい部位に対しても、被検体の所望の角度から所望の強度で励起光を照射することができる。また、たとえば、携帯型の第２照明のみを用いる場合、第２照明を被検体に近付けることにより、励起光を照射可能な範囲が狭くなる。しかしながら、上記のように構成することにより、第１照明によって励起光を照射しつつ携帯型の第２照明からも励起光を照射することが可能となるので、第１照明により励起光の照射範囲を確保しつつ、第２照明により部分的に励起光の強度を強めることができる。また、第２照明から照射される励起光の波長を第１照明から照査される励起光の波長と変更することにより、複数の波長の励起光を照射することができる。また、たとえば、治療が進み、がんの領域が非常に小さくなった場合は、励起光を照射するスポット径を簡便に変更することが可能な携帯型の第２照明を用いることにより、励起光の照射径を容易に調整することができる。これらにより、装置に備え付けの励起光源で対応できない場合でも、対応可能な治療支援装置を提供することができる。【００１０】
上記一の局面における治療支援装置において、好ましくは、第２照明は、照射される励起光の最大出力値が、第１照明から照射される励起光の最大出力値以下となるように構成されている。このように構成すれば、第２照明の励起光の出力値を第１照明以下とすることが可能となるので、第２照明が高温になることを抑制することができる。また、第２照明から照射される励起光の最高出力値を、第１照明から照射される励起光の最高出力値よりも小さくした場合でも、第２照明と被検体との距離を、第１照明と被検体との距離よりも小さくすることにより、第２照明から被検体に照射される励起光の強度を向上させることができる。その結果、第１照明から照射される励起光の最大出力値を大きくすることなく被検体に照射される励起光の強度を向上させることができる。【００１１】
この場合、好ましくは、第１照明は、第１の数の励起光源を備え、第２照明は、第１照明の第１の数よりも少ない第２の数の励起光源を備える。このように構成すれば、第２照明の励起光源の個数は、第１照明の励起光源の個数よりも少ないので、第１照明から照射される励起光の最大出力値よりも、第２照明から照射される励起光の最大出力値を容易に小さくすることができる。【００１２】
上記一の局面における治療支援装置において、好ましくは、第１照明は、被検体に励起光を照射する励起光源と、励起光源と略同じ位置に配置され、被検体に可視光を照射する可視光源とを含み、第２照明は、被検体に励起光を照射する励起光源を含み、検出部は、蛍光を検出する蛍光検出器と、可視光を検出する可視光検出器とを含み、画像生成部は、検出部により検出された蛍光および可視光の信号に基づいて、蛍光画像および可視光画像を生成するように構成されている。ここで、「略同じ位置」とは、励起光源および可視光源が、それぞれ、同一の光源領域に配置されている状態を意味する。このように構成すれば、第１照明によって略同じ位置から励起光と可視光とを被検体に照射することができる。その結果、略同じ位置に被検体が写る蛍光画像と可視光画像とを生成することができる。【００１３】
この場合、好ましくは、撮像部は、蛍光および可視光を分離するスプリッタをさらに含み、画像生成部は、生成した蛍光画像および可視光画像を合成した合成画像を生成するように構成されている。このように構成すれば、撮像部に入射した蛍光および可視光をスプリッタで分離することにより、同一のアングルで撮像された蛍光画像および可視光画像を取得することができる。その結果、蛍光画像と可視光画像とを合成する場合、位置合わせなどを行う必要がなくなるため、容易に合成画像を生成することができる。【００１４】
上記一の局面における治療支援装置において、好ましくは、第１照明および第２照明のそれぞれは、照射する励起光のピーク波長よりも長い波長の光を除去するフィルタをさらに備える。このように構成すれば、励起光のピーク波長よりも長い波長の光が被検体に照射されることを抑制することができる。その結果、被検体によって反射された励起光のうち、蛍光薬剤から発せられる蛍光の波長領域に含まれる励起光が蛍光画像に重畳されることを抑制することができる。【００１５】
上記一の局面における治療支援装置において、好ましくは、第２照明を載置する載置部を装置本体にさらに備え、第２照明は、載置部に着脱可能に配置されている。このように構成すれば、第２照明によって励起光を照射しない場合には、第２照明を載置部に装着しておくことが可能となるので、第２照明が落下することを抑制することが可能になるなど、ユーザビリティ（ユーザの利便性）を向上させることができる。
【発明の効果】
【００１６】
本発明によれば、上記のように、装置に備え付けの励起光源で対応できない場合に、対応可能な治療支援装置を提供することができる。
【図面の簡単な説明】
【００１７】
【図１】本発明の第１実施形態による治療支援装置を備える治療支援システムの概略を示したブロック図である。
【図２】本発明の第１実施形態による治療支援装置の斜視図である。
【図３】本発明の第１実施形態による治療支援装置の撮像部の模式図（Ａ）および第２照明の模式図（Ｂ）である。
【図４】本発明の第１実施形態による治療支援装置の撮像部内部の概略を示したブロック図である。
【図５】本発明の第１実施形態による治療支援装置を備える治療支援システムの全体構成の模式図である。
【図６】本発明の第１実施形態による治療支援装置を備えた治療支援システムが蛍光薬剤の蛍光を発生させる状態を示す模式図（断面図）である。
【図７】被検体に投与される蛍光薬剤のスペクトルの模式図である。
【図８】本発明の第１実施形態による治療支援装置が第１照明のみを用いた際に表示部に表示する蛍光画像の模式図（Ａ）、可視光画像の模式図（Ｂ）およびそれらを合成した合成画像の模式図（Ｃ）である。
【図９】本発明の第１実施形態による治療支援装置が第１照明および第２照明を用いた際に表示部に表示する蛍光画像の模式図（Ａ）、可視光画像の模式図（Ｂ）およびそれらを合成した合成画像の模式図（Ｃ）である。
【図１０】本発明の第１実施形態による治療支援装置が表示部に表示する治療後の蛍光画像の模式図（Ａ）、治療後の可視光画像の模式図（Ｂ）およびそれらを合成した合成画像の模式図（Ｃ）である。
【図１１】本発明の第２実施形態による治療支援装置を備える治療支援システムの概略を示したブロック図である。
【図１２】本発明の第２実施形態による撮像部の模式図（Ａ）および第２照明の模式図である。
【図１３】本発明の第１実施形態の変形例に用いられる蛍光薬剤のスペクトルの模式図（Ｂ）である。
【発明を実施するための形態】
【００１８】
以下、本発明を具体化した実施形態を図面に基づいて説明する。
【００１９】
［第１実施形態］
図１〜図１０を参照して、本発明の第１実施形態による治療支援装置１を備えた治療支援システム１００の構成について説明する。
【００２０】
（治療支援システムの構成）
第１実施形態による治療支援装置１を備えた治療支援システム１００は、図１に示すように、治療支援装置１と、表示装置３０とを備える。治療支援装置１は、励起光ＥＬを照射することにより被検体Ｐに投与された蛍光薬剤Ｐａから発せられる蛍光ＩＲを検出し、がん細胞２０（図８参照）を可視化することにより医師Ｑ（図５参照）の治療を支援するように構成されている。治療支援装置１の詳しい構成は後述する。なお、医師Ｑが行う治療としては、たとえば、蛍光薬剤Ｐａに励起光ＥＬを照射することによりがん細胞２０を死滅させる近赤外光免疫療法（ＮＩＲ−ＰＩＴ）などがある。近赤外光免疫療法（ＮＩＲ−ＰＩＴ）においても、励起光ＥＬを照射する範囲を確認するために、がん細胞２０を可視化する必要がある。
【００２１】
また、表示装置３０は、治療支援装置１から出力される被検体Ｐを撮像した画像１７（図８参照）を表示するように構成されている。表示装置３０は、たとえば、液晶ディスプレイなどのモニタである。
【００２２】
（治療支援装置の構成）
第１実施形態による治療支援装置１は、図１に示すように、受光部２と光学系３と第１照明４とを含む撮像部５と、アーム機構６と、筐体７と、第２照明１２とを備える。なお、受光部２は、請求の範囲の「検出部」の一例である。
【００２３】
受光部２は、可視光検出器８と蛍光検出器９とを含む。可視光検出器８は、可視光Ｖｉｓを検出するように構成されている。また、蛍光検出器９は、蛍光ＩＲを検出するように構成されている。可視光検出器８および蛍光検出器９の詳しい構成については、後述する。
【００２４】
光学系３は、フォーカスレンズ１０と、プリズム１１とを含む。光学系３は、被検体Ｐから反射された可視光Ｖｉｓと励起光ＥＬを照射されることにより蛍光薬剤Ｐａから発せられる蛍光ＩＲとの分離を行うように構成されている。光学系３の詳しい構成については後述する。なお、プリズム１１は、請求の範囲の「スプリッタ」の一例である。
【００２５】
第１照明４は、被検体Ｐの体内に投与された蛍光薬剤Ｐａを励起させるための励起光ＥＬａを被検体Ｐに向けて照射する第１の数の励起光源４ａと、可視光源４ｂと略同じ位置に配置され、可視光Ｖｉｓを被検体Ｐ（患者）に照射する可視光源４ｂとを備えている。第１の数は複数である。つまり、第１照明４は、２つ以上の励起光源４ａを含む。励起光源４ａおよび可視光源４ｂは、たとえば、発光ダイオード（ＬＥＤ）を含む。なお、蛍光薬剤Ｐａは、たとえば、ＩＲ７００である。ＩＲ７００は、励起光ＥＬを吸収することにより蛍光ＩＲを発する物質と、がん細胞２０に選択的に結合する抗体とを結合させた薬剤である。ＩＲ７００は、被検体Ｐに投与し、励起光ＥＬを照射することによりがん細胞２０を死滅させる近赤外光免疫療法（ＮＩＲ−ＰＩＴ）に用いられる薬剤である。また、「略同じ位置」とは、励起光源４ａおよび可視光源４ｂが、それぞれ、同一の光源領域に配置されている状態を意味する。
【００２６】
筐体７は、制御部１３と画像生成部１４と記憶部１５とを含む。筐体７は、たとえば、ＰＣ（Ｐｅｒｓｏｎａｌ  Ｃｏｍｐｕｔｅｒ）が内蔵された台車である。また、筐体７は、第２照明１２を載置する載置部１６を備える。制御部１３は、第１照明４からの光（可視光Ｖｉｓ、励起光ＥＬ）の照射、照射の停止などを、図示しない操作部による入力操作に基づいて制御するように構成されている。制御部１３は、たとえば、ＣＰＵ（Ｃｅｎｔｒａｌ  Ｐｒｏｃｅｓｓｉｎｇ  Ｕｎｉｔ）などのプロセッサによって構成されている。
【００２７】
画像生成部１４は、蛍光検出器９で検出された信号に基づき、蛍光画像１７ａ（図８参照）を生成するように構成されている。また、画像生成部１４は、可視光検出器８で検出された信号に基づき、可視光画像１７ｂ（図８参照）を生成するように構成されている。また、画像生成部１４は、蛍光画像１７ａと可視光画像１７ｂとを合成した合成画像１７ｃ（図８参照）を生成するように構成されている。画像生成部１４は、たとえば、ＧＰＵ（Ｇｒａｐｈｉｃｓ  Ｐｒｏｃｅｓｓｉｎｇ  Ｕｎｉｔ）または画像処理用に構成されたＦＰＧＡ（Ｆｉｅｌｄ−Ｐｒｏｇｒａｍｍａｂｌｅ  Ｇａｔｅ  Ａｒｒａｙ）などのプロセッサを含む。
【００２８】
また、記憶部１５は、画像生成部１４が生成した画像１７などを記憶するように構成されている。記憶部１５は、たとえば、不揮発性のメモリまたはハードディスクドライブ（ＨＤＤ）などを含む。
【００２９】
第２照明１２は、照射される励起光ＥＬｂの最大出力値が、第１照明４から照射される励起光ＥＬａの最大出力値以下となるように構成されている。具体的には、第２照明１２は、第１の数よりも少ない第２の数の励起光源１２ａを備える。第２照明１２の詳細な構成については、後述する。
【００３０】
図２は、第１実施形態による治療支援装置１の斜視図である。筐体７は、４個の車輪７０と、筐体７の上面における筐体７の進行方向の前方付近に設けられたアーム機構６と、アーム機構６にサブアーム５０を介して設けられた撮像部５と、モニタ７２とを備える。筐体７の進行方向の後方には、筐体７を移動するときに使用されるハンドル７１が設けられている。また、筐体７の上面には、治療支援装置１の遠隔操作に使用される図示しない操作部を装着するための凹部７３が形成されている。
【００３１】
アーム機構６は、筐体７の進行方向の前方側（ハンドル７１の反対側）に設けられている。アーム機構６は、筐体７の進行方向の前方側に設けられた支柱６５上に配置された支持部６６に対して、ヒンジ部６２により連結された第１アーム部材６０を備える。第１アーム部材６０は、ヒンジ部６２を中心に、支柱６５および支持部６６を介して、筐体７に対して揺動可能となっている。なお、モニタ７２は、支柱６５に設置されている。
【００３２】
第１アーム部材６０の上端には、第２アーム部材６１がヒンジ部６３により連結されている。第２アーム部材６１は、ヒンジ部６３を介して、第１アーム部材６０に対して揺動可能となっている。このため、第１アーム部材６０と第２アーム部材６１とは、自由に角度を調節できるように構成されている。
【００３３】
第２アーム部材６１の下端には、支持部５２がヒンジ部６４により連結されている。支持部５２は、ヒンジ部６４を介して、第２アーム部材６１に対して揺動可能となっている。支持部５２には、回転軸５１が設けられている。そして、撮像部５を支持したサブアーム５０は、第２アーム部材６１の先端に設けられた回転軸５１を中心に回動する。このため、撮像部５は、サブアーム５０の回動により、アーム機構６に対して筐体７の進行方向の前方側の位置と、筐体７を移動させる時の姿勢であるアーム機構６に対して筐体７の進行方向の後方側（ハンドル７１側）の位置との間を移動する。
【００３４】
また、筐体７の側面には、第２照明１２を載置する載置部１６が設けられている。載置部１６は、たとえば、底面に磁石が配置されており、第２照明１２を着脱可能に構成されている。
【００３５】
図３（Ａ）は、第１実施形態による治療支援装置１の撮像部５の模式図である。図３（Ｂ）は、第２照明１２の模式図である。図３（Ａ）に示すように、撮像部５は、第１の数の励起光源４ａを含む第１照明４と、受光部２と、フォーカスレンズ１０を含む光学系３とを備えている。また、図３（Ａ）に示すように、第１照明４は、第１の数の励起光源４ａを備えている。第１実施形態では、第１の数は、たとえば、６個である。また、図３（Ａ）に示すように、第１照明４は、可視光Ｖｉｓを照射する可視光源４ｂを備えている。図３（Ａ）に示す例では、励起光源４ａおよび可視光源４ｂは、それぞれ６個のＬＥＤによって構成されている。励起光源４ａは、蛍光薬剤Ｐａを励起させるための励起光ＥＬとして、第２吸収ピーク２４ｂ（図９参照）をピーク波長とする励起光ＥＬａを被検体Ｐに向けて照射するように構成されている。また、可視光源４ｂは、被検体Ｐに向けて照射する可視光Ｖｉｓとして、たとえば、可視領域の複数の波長を含む白色光を照射するように構成されている。
【００３６】
図３（Ａ）に示すように、第１照明４は、撮像部５に固定されて設けられている。したがって、第１照明４と、撮像部５との相対位置は、固定されている。第１照明４は撮像部５に固定されて配置されているため、着脱することはできない。また、図３（Ａ）に示すように、励起光源４ａおよび可視光源４ｂは、撮像部５の被検体Ｐ側において、円を描くように交互に配置されている。このように構成することにより、励起光ＥＬおよび可視光Ｖｉｓを被検体Ｐに対して略同じ範囲で照射することができる。また、励起光源４ａが撮像部５に固定されているため、励起光源４ａから照射される励起光ＥＬａの出力値を検出することにより、既知の光量分布で励起光ＥＬを照射することができる。
【００３７】
図３（Ｂ）に示すように、第２照明１２は、第２の数の励起光源１２ａと、把持部１２ｂと、光源操作部１２ｃとを含んでいる。第２照明１２は、操作者によって光源操作部１２ｃを操作されることにより、励起光ＥＬｂの照射および励起光ＥＬｂの照射の停止を行うように構成されている。第１実施形態では、第２の数は、たとえば、３個である。また、第２照明１２には、励起光源１２ａは含まれているが、レンズなどを含む光学系３や、検出器などは含まれていない。すなわち、第２照明１２は、被検体Ｐの撮像は行わず、被検体Ｐに励起光ＥＬを照射する単純な光源として構成されている。また、第２照明１２も、第１照明４から照射される励起光ＥＬａと同様に、第２吸収ピーク２４ｂ（図９参照）をピーク波長とする励起光ＥＬｂを被検体Ｐに向けて照射するように構成されている。すなわち、第１照明４から照射される励起光ＥＬａと、第２照明１２から照射される励起光ＥＬｂとは、互いに波長が同じであり、照射される出力値が異なる励起光ＥＬである。第１照明４は、たとえば、励起光源４ａに対して１２Ｖの電圧をかけることにより、励起光ＥＬａを照射するように構成されている。また、第２照明１２は、たとえば、励起光源１２ａに対して、３Ｖの電圧をかけることにより、励起光ＥＬａよりも出力値が小さい励起光ＥＬｂを照射するように構成されている。
【００３８】
図４は、第１実施形態による治療支援装置１の受光部２および光学系３の模式図である。受光部２は、可視光検出器８と、蛍光検出器９とを備える。また、光学系３は、フォーカスを合わせるために図示しないレンズ移動機構によって光軸Ｌ方向に往復移動させられるフォーカスレンズ１０と、プリズム１１とを備える。プリズム１１は、フォーカスレンズ１０と蛍光検出器９との間に設置されている。
【００３９】
可視光検出器８は、可視光源４ｂから照射され、被検体Ｐによって反射した可視光Ｖｉｓを検出するように構成されている。また、蛍光検出器９は、第１照明４（励起光源４ａ）から照射された励起光ＥＬａによって、被検体Ｐの体内に投与された蛍光薬剤Ｐａから発生された蛍光ＩＲを検出するように構成されている。また、蛍光検出器９は、第２照明１２から照射された励起光ＥＬｂによって、被検体Ｐの体内に投与された蛍光薬剤Ｐａから発生された蛍光ＩＲを検出するように構成されている。可視光検出器８および蛍光検出器９は、たとえば、それぞれＣＭＯＳ（Ｃｏｍｐｌｅｍｅｎｔａｒｙ  Ｎｅｔａｌ  Ｏｘｉｄｅ  Ｓｅｍｉｃｏｎｄｕｃｔｏｒ）やＣＣＤ（Ｃｈａｒｇｅ  Ｃｏｕｐｌｅｄ  Ｄｅｖｉｃｅ）などのイメージセンサから構成される。なお、可視光検出器８は、可視光画像１７ｂをカラー画像として撮影することが可能なものが使用される。
【００４０】
可視光検出器８および蛍光検出器９は、可視光Ｖｉｓおよび蛍光ＩＲを検出する際に、共通の光学系３によって、可視光Ｖｉｓおよび蛍光ＩＲを検出するように構成されている。具体的には、受光部２に対して、光軸Ｌに沿って入射した可視光Ｖｉｓおよび蛍光ＩＲは、フォーカスレンズ１０を通過した後、プリズム１１に到達する。入射した可視光Ｖｉｓおよび蛍光ＩＲのうち、可視光Ｖｉｓは、プリズム１１により反射され、可視光検出器８に入射する。すなわち、撮像部５に対して、同一の光軸Ｌに沿って入射した可視光Ｖｉｓおよび蛍光ＩＲは、それぞれ、プリズム１１によって分離され、可視光検出器８および蛍光検出器９に入射する。
【００４１】
図５は、治療支援システム１００の全体構成を示す図である。治療支援システム１００は、治療中の被検体Ｐの可視光画像１７ｂおよび蛍光画像１７ａを撮像し、表示装置３０に表示することによって、治療支援を行う治療支援システムとして構成されている。図５に示すように、治療支援装置１は、医師Ｑが被検体Ｐの手術を行う際に、被検体Ｐの上方から被検体Ｐを撮像するように構成されている。具体的には、図６に示すように、治療支援装置１に設けられている第１照明４（励起光源４ａ）および第２照明１２から照射された励起光ＥＬ（励起光ＥＬａおよび励起光ＥＬｂ）によって、被検体Ｐの内部の蛍光薬剤Ｐａは、蛍光ＩＲを発生させる。そして、治療支援装置１に設けられている蛍光検出器９は、被検体Ｐの内部の蛍光薬剤Ｐａから発生する蛍光ＩＲを検出する。
【００４２】
また、図６に示すように、第１実施形態では、第２照明１２は、第２照明１２と被検体Ｐとの距離ｄ２が、第１照明４と被検体Ｐとの距離ｄ１よりも小さくなる位置から被検体Ｐに向けて励起光ＥＬｂを照射する。励起光ＥＬの出力値としては、第１照明４の方が第２照明１２よりも大きいが、被検体Ｐとの距離が第１照明４よりも第２照明１２の方が近い場所から照射する。したがって、被検体Ｐに照射される励起光ＥＬの強度を、第１照明４の強度を第２照明１２の強度以上とすることができる。第１実施形態では、第１照明４は、撮像部５に固定されている。撮像部５によって被検体Ｐを撮像する場合、フォーカスを合わせるために被検体Ｐと離した位置に配置しなければならず、第１照明４と被検体Ｐとの距離ｄ１は、撮像部５のフォーカスが被検体Ｐに合う距離となる。第１実施形態では、撮像部５のフォーカスが被検体Ｐに合う距離は、たとえば、約７０ｃｍである。したがって、第１実施形態では、第１照明４は、被検体Ｐから約７０ｃｍ離れた位置から被検体Ｐに向けて励起光ＥＬａを照射するように構成されている。被検体Ｐから約７０ｃｍ離れた位置から被検体Ｐに向けて励起光ＥＬａを照射する場合、第１照明４から被検体Ｐに照射される励起光ＥＬａの強度は、たとえば、約０．８ｍＷ／ｃｍ２となる。一方、第２照明１２は、携帯型であるので、被検体Ｐと第２照明１２との距離ｄ２を自由に変更することができる。第１実施形態では、たとえば、被検体Ｐから約５ｃｍ離れた位置から被検体Ｐに向けて励起光ＥＬｂを照射した場合、第２照明１２から被検体Ｐに照射される励起光ＥＬｂの強度は、たとえば、約４ｍＷ／ｃｍ２となる。したがって、被検体Ｐに照射する励起光ＥＬの強度を増加させる際に、第２照明１２を用いることにより、第１照明４の出力強度を高めたり、第１照明４の励起光源４ａの個数を増加させる必要がないので、励起光源４ａが高温になることを抑制することが可能であるとともに、携帯型の第２照明１２により、被検体Ｐに照射する励起光ＥＬの強度を増加させることができる。
【００４３】
図７を参照して、蛍光薬剤Ｐａについて説明する。図７に示すグラフ２４（実線）は、蛍光薬剤Ｐａの吸収スペクトルである。また、図７に示すグラフ２５（一点鎖線）は、励起光ＥＬを照射された蛍光薬剤Ｐａから発せられる蛍光ＩＲのスペクトルである。グラフ２４およびグラフ２５の横軸は波長である。また、グラフ２４およびグラフ２５の縦軸は、吸収および蛍光の正規化された強度である。
【００４４】
図７のグラフ２４に示すように、蛍光薬剤Ｐａは、約６５０ｎｍ以上約７００ｎｍ未満の波長領域に吸収のピーク波長を有する第１吸収ピーク２４ａを有している。また、蛍光薬剤Ｐａは、約６００ｎｍ以上約６５０ｎｍ未満の波長領域に吸収のピーク波長を有する第２吸収ピーク２４ｂを有している。蛍光薬剤Ｐａに照射される励起光ＥＬは、第１吸収ピーク２４ａおよび第２吸収ピーク２４ｂのどちらに対応する波長の光であってもよい。また、蛍光薬剤Ｐａに照射される励起光ＥＬは、励起光ＥＬの波長を吸収ピークの波長に合わせなくてもよい。第１実施形態では、第１照明４および第２照明１２から照射される励起光ＥＬ１（励起光ＥＬａおよび励起光ＥＬｂ）は、たとえば、約６５０ｎｍ以上約７００ｎｍ以下の波長領域にピーク波長を有する光である。具体的には、第１照明４および第２照明１２は、第１吸収ピーク２４ａの波長に対応する波長の励起光ＥＬａおよび励起光ＥＬｂを照射するように構成されている。すなわち、励起光ＥＬａと励起光ＥＬｂとは、波長が同じで出力強度が異なる光である。
【００４５】
また、第１実施形態では、撮像部５は、第２ピーク波長２５ｂの波長領域の蛍光ＩＲを透過する検出器フィルタ（図示せず）をさらに備えている。第１実施形態では、蛍光検出器９は、検出器フィルタを透過した蛍光ＩＲによって蛍光画像１７ａを生成するように構成されている。
【００４６】
第１実施形態では、治療支援装置１は、たとえば、被検体Ｐのがん細胞２０を含む組織２１を撮像するように構成されている。図８は、第２照明１２は用いずに、撮像部５に含まれる第１照明４によって励起光ＥＬａが照射された際の、表示装置３０に表示される画像１７の例を示す模式図である。第１実施形態では、がん細胞２０を含む組織２１を撮像し、表示装置３０に表示する例を示している。図８（Ａ）は、がん細胞２０の蛍光画像１７ａの模式図である。図８（Ｂ）は可視光画像１７ｂの模式図である。また、図８（Ｃ）は、蛍光画像１７ａと可視光画像１７ｂとを合成した合成画像１７ｃの模式図である。
【００４７】
第１実施形態において、治療支援装置１は、がん細胞２０の蛍光画像１７ａと可視光画像１７ｂとを合成して合成画像１７ｃを生成し、蛍光画像１７ａ、可視光画像１７ｂおよび合成画像１７ｃを表示装置３０に出力するように構成されている。また、図８に示すように、表示装置３０は、蛍光画像１７ａ、可視光画像１７ｂおよび合成画像１７ｃをそれぞれ表示するように構成されている。
【００４８】
ここで、蛍光薬剤Ｐａに励起光ＥＬを照射することによって治療を行う際には、励起光ＥＬを照射する範囲を確認するために、蛍光薬剤Ｐａとがん細胞２０との結合領域を正確に確認したい場合がある。蛍光画像１７ａにおける蛍光薬剤Ｐａとがん細胞２０との結合領域を正確に確認するためには、照射する励起光ＥＬの強度を一時的に高める必要がある。図８（Ａ）に示す蛍光画像１８ａは、第１照明４によって励起光ＥＬａが照射された状態で撮像された例である。図８（Ａ）に示すように、がん細胞２０が明瞭に描写されていない場合、蛍光画像１７ａと可視光画像１７ｂと合成した合成画像１７ｃにおいても、組織２１におけるがん細胞２０の位置を正確に把握することが難しくなる。がん細胞２０が明瞭に描写されない場合の例としては、たとえば、励起光ＥＬが届きにくい場所にがん細胞２０を含む組織２１が存在し、照射される励起光ＥＬの強度が不足する場合などがある。
【００４９】
そこで、第１実施形態では、治療支援装置１は、撮像部５に含まれる第１照明４から照射される励起光ＥＬａに加えて、携帯型の第２照明１２からも被検体Ｐに励起光ＥＬｂを照射することにより、被検体Ｐに照射される励起光ＥＬの強度を向上させることができる。
【００５０】
図９は、第１照明４および第２照明１２の両方によって被検体Ｐに励起光ＥＬ（励起光ＥＬａおよび励起光ＥＬｂ）が照射された際に、画像生成部１４が生成する画像１８の模式図である。図９（Ａ）は、がん細胞２０の蛍光画像１８ａの模式図である。図９（Ｂ）は可視光画像１８ｂの模式図である。また、図９（Ｃ）は、蛍光画像１８ａと可視光画像１８ｂとを合成した合成画像１８ｃの模式図である。
【００５１】
図９（Ａ）に示すように、第１実施形態では、第１照明４および第２照明１２によって被検体Ｐに励起光ＥＬ（励起光ＥＬａおよび励起光ＥＬｂ）が照射されるため、第１照明４から励起光ＥＬａが照射された場合の蛍光画像１７ａと比較して、蛍光画像１８ａにおいて、がん細胞２０がより明瞭に描写される。したがって、蛍光画像１８ａおよび可視光画像１８ｂを合成した合成画像１８ｃにおいても、がん細胞２０が明瞭に描写されるため、組織２１におけるがん細胞２０の位置を正確に把握することが可能になる。
【００５２】
また、蛍光薬剤Ｐａによる治療の前後の画像を取得し、治療の効果を確認したい場合がある。第１実施形態では、治療支援装置１を用いて治療前の画像１７を取得するとともに、治療後の画像１９（図１０参照）を取得することにより、蛍光薬剤Ｐａによる治療の効果を確認することができる。
【００５３】
図１０は、撮像部５に含まれる第１照明４によって励起光ＥＬが照射された際の、表示装置３０に表示される治療後の画像１９の例を示す模式図である。図１０（Ａ）は、治療後のがん細胞２０の蛍光画像１９ａの模式図である。図１０（Ｂ）は、治療後の可視光画像１９ｂの模式図である。また、図１０（Ｃ）は、治療後の蛍光画像１９ａと可視光画像１９ｂとを合成した合成画像１９ｃの模式図である。
【００５４】
第１実施形態では、治療支援装置１を用いて、治療前の蛍光画像１７ａおよび治療後の蛍光画像１９ａを生成し、治療前後におけるがん細胞２０の大きさの変化を確認することにより、治療の効果を確認することができる。この際、被検体Ｐに照射する励起光ＥＬの強度が強すぎる場合、がん細胞２０以外の組織２１において蛍光ＩＲが拡散されるため、がん細胞２０の大きさが実際よりも大きく見える場合がある。その場合、第２照明１２の位置を変更することにより、第２照明１２から被検体Ｐに照射される励起光ＥＬｂの強度を調整することにより、がん細胞２０が実際よりも大きく見えることを抑制することができる。また、たとえば、治療効果が十分にあり、がん細胞２０が効果的に縮小した際に、第１照明４から照射される励起光ＥＬａでは、がん細胞２０の位置を確認できない場合がある。このような場合でも、第２照明１２から被検体Ｐに励起光ＥＬｂを照射することにより、被検体Ｐに照射される励起光ＥＬ（励起光ＥＬａおよび励起光ＥＬｂの合計）の強度が大きくなるため、蛍光画像１９ａにおいて縮小したがん細胞２０を確認することができる。
【００５５】
（第１実施形態の効果）
第１実施形態では、以下のような効果を得ることができる。
【００５６】
第１実施形態では、上記のように、治療支援装置１は、被検体Ｐに蛍光薬剤Ｐａの励起光ＥＬを照射する第１照明４と、照射された励起光ＥＬにより蛍光薬剤Ｐａから発せられる蛍光ＩＲを検出する受光部２とを含む撮像部５と、被検体Ｐに蛍光薬剤Ｐａの励起光ＥＬを照射する携帯型の第２照明１２と、受光部２で検出された信号に基づき画像１７を生成する画像生成部１４とを備える。これにより、携帯型の第２照明１２によって、第１照明４とは異なる位置から被検体Ｐに励起光ＥＬを照射することができる。その結果、第１照明４の出力強度を高めたり、第１照明４の励起光源４ａの個数を増加させる必要がないので、励起光源４ａが高温になることを抑制することが可能であるとともに、携帯型の第２照明１２により、被検体Ｐに照射する励起光ＥＬの強度を増加させることができる。また、第２照明１２が携帯型であり、被検体Ｐに対する第２照明１２の向きや距離ｄ２を自由に変更できるため、第１照明４では励起光ＥＬを照射しにくい部位に対しても、被検体Ｐの所望の角度から所望の強度で励起光ＥＬを照射することができる。また、たとえば、携帯型の第２照明１２のみを用いる場合、第２照明１２を被検体Ｐに近付けることにより、励起光ＥＬを照射可能な範囲が狭くなる。しかしながら、上記のように構成することにより、第１照明４によって励起光ＥＬを照射しつつ携帯型の第２照明１２からも励起光ＥＬを照射することが可能となるので、第１照明４により励起光ＥＬの照射範囲を確保しつつ、第２照明１２により部分的に励起光ＥＬの強度を強めることができる。また、たとえば、治療が進み、がんの領域が非常に小さくなった場合は、励起光ＥＬを照射するスポット径を簡便に変更することが可能な携帯型の第２照明１２を用いることにより、励起光ＥＬの照射径を容易に調整することができる。これらにより、治療支援装置１に備え付けの第１照明４で対応できない場合でも、対応可能な治療支援装置１を提供することができる。
【００５７】
また、第１実施形態では、上記のように、第２照明１２は、照射される励起光ＥＬの最大出力値が、第１照明４から照射される励起光ＥＬａの最大出力値以下となるように構成されている。これにより、第２照明１２の励起光ＥＬの出力値を第１照明４よりも小さくすることが可能となるので、第２照明１２が高温になることを抑制することができる。また、第２照明１２から照射される励起光ＥＬｂの最高出力値を、第１照明４から照射される励起光ＥＬａの最高出力値よりも小さくした場合でも、第２照明１２と被検体Ｐとの距離ｄ２を、第１照明４と被検体Ｐとの距離ｄ１よりも小さくすることにより、第２照明１２から被検体Ｐに照射される励起光ＥＬの強度を向上させることができる。その結果、第１照明４から照射される励起光ＥＬａの最大出力値を大きくすることなく被検体Ｐに照射される励起光ＥＬの強度を向上させることができる。
【００５８】
また、第１実施形態では、上記のように、第１照明４は、第１の数の励起光源４ａを備え、第２照明１２は、第１照明４の第１の数よりも少ない第２の数の励起光源１２ａを備える。これにより、第２照明１２の励起光源１２ａの個数は、第１照明４の励起光源４ａの個数よりも少ないので、第１照明４から照射される励起光ＥＬａの最大出力値よりも、第２照明１２から照射される励起光ＥＬｂの最大出力値を容易に小さくすることができる。
【００５９】
また、第１実施形態では、上記のように、第１照明４は、被検体Ｐに励起光ＥＬを照射する励起光源４ａと、励起光源４ａと略同じ位置に配置され、被検体Ｐに可視光Ｖｉｓを照射する可視光源４ｂとを含み、第２照明１２は、被検体Ｐに励起光ＥＬを照射する励起光源１２ａを含み、受光部２は、可視光Ｖｉｓを検出する可視光検出器８と、蛍光ＩＲを検出する蛍光検出器９とを含み、画像生成部１４は、受光部２により検出された蛍光ＩＲおよび可視光Ｖｉｓの信号に基づいて、蛍光画像１７ａおよび可視光画像１７ｂを生成するように構成されている。これにより、第１照明４によって略同じ位置から励起光ＥＬと可視光Ｖｉｓとを被検体Ｐに照射することができる。その結果、略同じ位置に被検体Ｐが写る蛍光画像１７ａと可視光画像１７ｂとを生成することができる。
【００６０】
また、第１実施形態では、上記のように、撮像部５は、蛍光ＩＲおよび可視光Ｖｉｓを分離するプリズム１１をさらに含み、画像生成部１４は、生成した蛍光画像１７ａおよび可視光画像１７ｂを合成した合成画像１７ｃを生成するように構成されている。これにより、撮像部５に入射した蛍光ＩＲおよび可視光Ｖｉｓをプリズム１１で分離することにより、同一のアングルで撮像された蛍光画像１７ａおよび可視光画像１７ｂを取得することができる。その結果、蛍光画像１７ａと可視光画像１７ｂとを合成する場合、位置合わせなどを行う必要がなくなるため、容易に合成画像１７ｃを生成することができる。
【００６１】
また、第１実施形態では、上記のように、第２照明１２を載置する載置部１６を治療支援装置１本体にさらに備え、第２照明１２は、載置部１６に着脱可能に配置されている。これにより、第２照明１２によって励起光ＥＬを照射しない場合には、第２照明１２を載置部１６に装着しておくことが可能となるので、第２照明１２が落下することを抑制することが可能になるなど、ユーザビリティ（ユーザの利便性）を向上させることができる。
【００６２】
［第２実施形態］
次に、図７、図１１および図１２を参照して、本発明の第２実施形態による治療支援装置４０を備える治療支援システム２００について説明する。所定のピーク波長を有する励起光ＥＬを被検体Ｐに照射する第１実施形態とは異なり、第２実施形態では、第１照明４および第２照明１２のそれぞれは、照射する励起光ＥＬのピーク波長よりも長い波長と光を除去する第１フィルタ２２（図１１参照）および第２フィルタ２３（図１１参照）をさらに備える。なお、上記第１実施形態と同様の構成については同様の符号を付し、説明を省略する。また、第１フィルタ２２および第２フィルタ２３はそれぞれ、請求の範囲の「フィルタ」の一例である。
【００６３】
図１１は、第２実施形態による治療支援装置４０を備える治療支援システム２００の全体構成を示す模式図である。図１１に示すように、第１照明４および第２照明１２のそれぞれは、照射する励起光ＥＬのピーク波長よりも長い波長の光を除去する第１フィルタ２２および第２フィルタ２３をさらに備える。具体的には、第１フィルタ２２および第２フィルタ２３は、それぞれ、励起光ＥＬのうち、波長４１（図７参照）よりも長い波長の励起光ＥＬを除去するように構成されている。第２実施形態では、第１フィルタ２２および第２フィルタ２３が除去する下限値である波長４１の長さは、たとえば、約７００ｎｍに設定されている。また、第１フィルタ２２および第２フィルタ２３は、蛍光薬剤Ｐａが発する蛍光ＩＲの波長領域に含まれる励起光ＥＬを除去するために設けられている。したがって、第１フィルタ２２および第２フィルタ２３が除去する励起光ＥＬの波長の上限は、蛍光ＩＲの第２ピーク波長２５ｂ（図７参照）よりも大きい波長４２（図７参照）になるように設定されている。第１実施形態では、第１フィルタ２２および第２フィルタ２３が除去する上限値である波長４２の長さは、たとえば、約７９０ｎｍに設定されている。すなわち、第１フィルタ２２および第２フィルタ２３は、下限値が波長４１であり、上限値が波長４２である波長領域４３（図７参照）の波長の励起光ＥＬを除去するように構成されている。
【００６４】
なお、第１フィルタ２２および第２フィルタ２３が除去する波長の下限値は、波長４１以外でもよい。たとえば、第２吸収ピーク２４ｂ（図７参照）を中心波長とする励起光ＥＬ２（励起光ＥＬａおよび励起光ＥＬｂ）を被検体Ｐに照射する場合、波長４４（図７参照）よりも長い波長の励起光ＥＬを除去するように構成されていてもよい。第１フィルタ２２および第２フィルタ２３が除去する下限値である波長４４の長さは、たとえば、約７００ｎｍに設定されている。また、第１フィルタ２２および第２フィルタ２３が除去する励起光ＥＬの下限値が波長４４の場合、第１フィルタ２２および第２フィルタ２３が除去する励起光ＥＬの上限値は、蛍光ＩＲの第１ピーク２５ａよりも長い波長４５（図７参照）になるように設定される。波長４５は、たとえば、約７２０ｎｍに設定されている。すなわち、第１フィルタ２２および第２フィルタ２３は、下限値が波長４４であり、上限値が波長４５である波長領域４６（図７参照）の範囲の波長の励起光ＥＬを除去するように構成されていてもよい。
【００６５】
なお、第２実施形態のその他の構成は、上記第１実施形態と同様である。
【００６６】
（第２実施形態の効果）
第２実施形態では、以下のような効果を得ることができる。
【００６７】
第２実施形態では、上記のように、第１照明４および第２照明１２のそれぞれは、照射する励起光ＥＬのピーク波長よりも長い波長の光を除去する第１フィルタ２２および第２フィルタ２３をさらに備える。これにより、励起光ＥＬのピーク波長よりも長い波長の光が被検体Ｐに照射されることを抑制することができる。その結果、被検体Ｐによって反射された励起光ＥＬのうち、蛍光薬剤Ｐａから発せられる蛍光ＩＲの波長領域に含まれる励起光ＥＬが蛍光画像１７ａに重畳されることを抑制することができる。
【００６８】
なお、第２実施形態のその他の効果は、上記第１実施形態と同様である。
【００６９】
（変形例）
なお、今回開示された実施形態は、すべての点で例示であって制限的なものではないと考えられるべきである。本発明の範囲は、上記した実施形態の説明ではなく、特許請求の範囲によって示され、さらに特許請求の範囲と均等の意味および範囲内でのすべての変更（変形例）が含まれる。
【００７０】
たとえば、上記第１および第２実施形態では、蛍光画像１７ａと可視光画像１７ｂとを合成した合成画像１７ｃを生成する例を示したが、本発明をこれに限られない。たとえば、合成画像１７ｃを生成せずに、蛍光画像１７ａと可視光画像１７ｂとを並べて表示してもよい。また、可視光画像１７ｂを生成せずに、蛍光画像１７ａのみを表示してもよい。また、治療前の蛍光画像１７ａと、治療後の蛍光画像１９ａとを並べて表示するように構成されていてもよい。
【００７１】
また、上記第１および第２実施形態では、第１照明４および第２照明１２が、同じ波長の励起光ＥＬａおよび励起光ＥＬｂを被検体Ｐに向けて照射する例を示したが、本発明はこれに限られない。蛍光薬剤Ｐａを励起させることが可能であれば、第１照明４および第２照明１２から照射される励起光ＥＬａおよび励起光ＥＬｂの波長は異なっていてもよい。たとえば、第１照明４および第２照明１２は、それぞれ、励起光ＥＬとして、可視光Ｖｉｓを照射するように構成されていてもよい。また、第１照明４および第２照明１２は、それぞれ、複数の波長の励起光ＥＬを照射するように構成されていてもよい。第１照明４および第２照明１２が、それぞれ、複数の波長の励起光ＥＬを照射する構成の場合、たとえば、照射される励起光ＥＬの波長領域を、フィルタを用いて制御するように構成されていてもよい。
【００７２】
また、上記第１および第２実施形態では、第１照明４および第２照明１２を用いて励起光ＥＬを照射する例を示したが、本発明はこれに限られない。たとえば、治療位置、治療領域（がんの大きさ）などに応じて、第１照明４および第２照明１２のうち、いずれか一方を用いてもよい。また、第１照明４および第２照明１２は、それぞれ、治療位置、治療領域（がんの大きさ）などに応じて、励起光ＥＬの出力値および励起光ＥＬのスポット径を調整することが可能なように構成されていてもよい。
【００７３】
また、上記第１および第２実施形態では、蛍光薬剤Ｐａとして、ＩＲ７００を用いる例を示したが、本発明はこれに限られない。励起光ＥＬを照射されることにより蛍光ＩＲを発する薬剤であれば、どのような薬剤をもちいてもよい。たとえば、蛍光薬剤Ｐａとして、ＩＣＧを用いてもよい。
【００７４】
また、上記第２実施形態では、第１フィルタ２２および第２フィルタ２３が約６５０ｎｍまたは約７００ｎｍよりも長い波長の励起光ＥＬを除去する例を示したが、本発明はこれに限られない。第１フィルタ２２および第２フィルタ２３が除去する励起光ＥＬの波長は、使用する蛍光薬剤Ｐａに応じて変更してもよい。たとえば、図１３に示すように、ＩＣＧは、約７５０ｎｍ以上約８００ｎｍ未満の波長領域に吸収ピーク２６ａを有している。また、ＩＣＧは、励起光ＥＬを照射されることにより、約８００ｎｍ以上約８５０ｎｍ未満の波長領域にピーク２７ａを有する蛍光ＩＲを発する。したがって、蛍光薬剤Ｐａとして、ＩＣＧを用いる場合には、図１３に示すように、第１照明４および第２照明１２は、約７５０ｎｍ以上約８００ｎｍ未満の波長領域にピーク波長を有する励起光ＥＬを照射するように構成されていればよい。また、蛍光薬剤Ｐａとして、ＩＣＧを用いる場合には、第１フィルタ２２および第２フィルタ２３は、波長４７以上波長４８以下の波長領域４９の励起光ＥＬを除去するように構成されていてもよい。波長４７は、たとえば、約７８０ｎｍである。また、波長４８は、たとえば、約８６０ｎｍである。なお、図１３に示すグラフ２６（実線）は、ＩＣＧの吸収スペクトルである。また、図１３に示すグラフ２７（一点鎖線）は、励起光ＥＬを照射されたＩＣＧから発せられる蛍光ＩＲのスペクトルである。グラフ２６およびグラフ２７の横軸は波長である。また、グラフ２６およびグラフ２７の縦軸は、吸収および蛍光の正規化された強度である。
【００７５】
また、上記第１実施形態では、載置部１６は、磁石によって第２照明１２を着脱可能に載置する例を示したが、本発明はこれに限られない。第２照明１２を着脱可能に載置することが可能であれば、載置部１６はどのように構成されていてもよい。たとえば、第２照明１２の把持部１２ｂと係合するように構成されていてもよい。また、載置部１６を設けなくてもよい。
【００７６】
また、上記第１および第２実施形態では、第２照明１２から照射される励起光ＥＬｂの最大出力値が第１照明４から照射される励起光ＥＬａの最大出力値以下となる例を示したが、本発明はこれに限られない。第２照明１２が携帯型であり、第１照明４と離れた位置から励起光ＥＬを照射することができるため、第２照明１２から励起光ＥＬｂを照射した場合でも、第１照明４の温度は上昇しないため、励起光ＥＬｂの最大出力値と励起光ＥＬａの最大出力値とが同じ値でもよい。また、励起光ＥＬｂの最大出力値が励起光ＥＬａの最大出力値よりも大きくてもよい。
【００７７】
また、上記第１および第２実施形態では、第２照明１２に含まれる励起光源１２ａの個数が、第１照明４に含まれる励起光源４ａよりも少ない例を示したが、本発明はこれに限られない。たとえば、第２照明１２から照射される励起光ＥＬｂの最大出力値を第１照明４から照射される励起光ＥＬａよりも小さくすることができれば、励起光源１２ａおよび励起光源４ａの個数は同じでもよいし、励起光源１２ａの個数が励起光源４ａの個数よりも多くてもよい。
【００７８】
また、上記第１および第２実施形態では、第１照明４が可視光源４ｂを含み、受光部２が可視光検出器８を含む例を示したが、本発明はこれに限られない。たとえば、蛍光画像１７ａを生成することができれば、可視光画像１７ｂおよび合成画像１７ｃを生成しない構成でもよいため、第１照明４が可視光源４ｂを含まず、受光部２が可視光検出器８を含まない構成でもよい。
【００７９】
また、上記第１および第２実施形態では、光学系３がプリズム１１を含む例を示したが、本発明はこれに限られない。たとえば、蛍光用の撮像部５と可視光用の撮像部５とをそれぞれ設ける場合、光学系３はプリズム１１を含まなくてもよい。また、蛍光用の撮像部５と可視光用の撮像部５とをそれぞれ設ける場合でも、合成画像１７ｃを生成する際には、蛍光用の撮像部５と可視光用の撮像部５との相対位置は既知であるため、蛍光画像１７ａと可視光画像１７ｂとの位置合わせを容易に行うことができる。
【符号の説明】
【００８０】
１、４０  治療支援装置
２  受光部（検出部）
４ａ、１２ａ  励起光源
４ｂ  可視光源
５  撮像部
８  可視光検出器
９  蛍光検出器
１１  プリズム（スプリッタ）
１２  第１フィルタ（検出器側光除去フィルタ）
１４  画像生成部
１７、１８、１９  画像
１７ａ、１８ａ、１９ａ  蛍光画像
１７ｂ、１８ｂ、１９ｂ  可視光画像
４１ａ  蛍光の第１ピーク
４１ｂ  蛍光の第２ピーク
４２  所定の第１波長
４３  所定の第２波長
ＥＬ、ＥＬａ、ＥＬｂ、ＥＬ１、ＥＬ２  励起光
ＩＲ  蛍光
Ｐ  被検体
Ｐａ  蛍光薬剤
【図１】
2019215796.tif 000003
【図２】
2019215796.tif 000004
【図３】
2019215796.tif 000005
【図４】
2019215796.tif 000006
【図５】
2019215796.tif 000007
【図６】
2019215796.tif 000008
【図７】
2019215796.tif 000009
【図８】
2019215796.tif 000010
【図９】
2019215796.tif 000011
【図１０】
2019215796.tif 000012
【図１１】
2019215796.tif 000013
【図１２】
2019215796.tif 000014
【図１３】
2019215796.tif 000015
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
治療時の被検体の画像を撮像し、治療支援を行う治療支援装置であって、
被検体に蛍光薬剤の励起光を照射する第１照明と、照射された前記励起光により前記蛍光薬剤から発せられる蛍光を検出する検出部とを含む撮像部と、
被検体に前記蛍光薬剤の前記励起光を照射する携帯型の第２照明と、
前記検出部で検出された信号に基づき画像を生成する画像生成部とを備え、
前記蛍光薬剤は、近赤外免疫療法に用いられる薬剤であり、
前記第１照明および前記第２照明は、それぞれ、前記蛍光薬剤の第１の吸収ピークに対応する６５０ｎｍ以上７００ｎｍ以下の波長領域にピーク波長を有する光、または、前記蛍光薬剤の第２の吸収ピークに対応する６００ｎｍ以上６５０ｎｍ未満の波長領域にピーク波長を有する光を前記励起光として照射するように構成されている、治療支援装置。
【請求項２】
前記第２照明は、照射される前記励起光の最大出力値が、前記第１照明から照射される前記励起光の最大出力値以下となるように構成されている、請求項１に記載の治療支援装置。
【請求項３】
前記第１照明は、第１の数の励起光源を備え、
前記第２照明は、前記第１照明の前記第１の数よりも少ない第２の数の励起光源を備える、請求項２に記載の治療支援装置。
【請求項４】
前記第２照明は、前記第１の数よりも少ない複数の数である前記第２の数の励起光源を備える、請求項３に記載の治療支援装置。
【請求項５】
前記第１照明は、被検体に前記励起光を照射する励起光源と、前記励起光源と略同じ位置に配置され、被検体に可視光を照射する可視光源とを含み、
前記第２照明は、被検体に前記励起光を照射する励起光源を含み、
前記検出部は、蛍光を検出する蛍光検出器と、可視光を検出する可視光検出器とを含み、
前記画像生成部は、前記検出部により検出された蛍光および可視光の信号に基づいて、蛍光画像および可視光画像を生成するように構成されている、請求項１〜４のいずれか１項に記載の治療支援装置。
【請求項６】
前記撮像部は、蛍光および可視光を分離するスプリッタをさらに含み、
前記画像生成部は、生成した前記蛍光画像および前記可視光画像を合成した合成画像を生成するように構成されている、請求項５に記載の治療支援装置。
【請求項７】
前記第１照明および前記第２照明のそれぞれは、照射する前記励起光のピーク波長よりも長い波長の光を除去するフィルタをさらに備える、請求項１〜６のいずれか１項に記載の治療支援装置。
【請求項８】
前記第２照明を載置する載置部を装置本体にさらに備え、
前記第２照明は、前記載置部に着脱可能に配置されている、請求項１〜７のいずれか１項に記載の治療支援装置。
【手続補正２】
【補正対象書類名】明細書
【補正対象項目名】０００８
【補正方法】変更
【補正の内容】
【０００８】
上記目的を達成するために、この発明の一の局面における治療支援装置は、治療時の被検体の画像を撮像し、治療支援を行う治療支援装置であって、被検体に蛍光薬剤の励起光を照射する第１照明と、照射された励起光により蛍光薬剤から発せられる蛍光を検出する検出部とを含む撮像部と、被検体に蛍光薬剤の励起光を照射する携帯型の第２照明と、検出部で検出された信号に基づき画像を生成する画像生成部とを備え、蛍光薬剤は、近赤外免疫療法に用いられる薬剤であり、第１照明および第２照明は、それぞれ、蛍光薬剤の第１の吸収ピークに対応する６５０ｎｍ以上７００ｎｍ以下の波長領域にピーク波長を有する光、または、蛍光薬剤の第２の吸収ピークに対応する６００ｎｍ以上６５０ｎｍ未満の波長領域にピーク波長を有する光を励起光として照射するように構成されている。
【手続補正３】
【補正対象書類名】明細書
【補正対象項目名】０００９
【補正方法】変更
【補正の内容】
【０００９】
この発明の一の局面における治療支援装置は、上記のように、被検体に蛍光薬剤の励起光を照射する第１照明と、被検体に蛍光薬剤の励起光を照射する携帯型の第２照明とを備え、蛍光薬剤は、近赤外免疫療法に用いられる薬剤であり、第１照明および第２照明は、それぞれ、蛍光薬剤の第１の吸収ピークに対応する６５０ｎｍ以上７００ｎｍ以下の波長領域にピーク波長を有する光、または、蛍光薬剤の第２の吸収ピークに対応する６００ｎｍ以上６５０ｎｍ未満の波長領域にピーク波長を有する光を励起光として照射するように構成されている。これにより、携帯型の第２照明によって、第１照明とは異なる位置から被検体に励起光を照射することができる。その結果、第１照明の出力強度を高めたり、第１照明の励起光源の個数を増加させる必要がないので、励起光源が高温になることを抑制することが可能であるとともに、携帯型の第２照明により、被検体に照射する励起光の強度を増加させることができる。また、第２照明が携帯型であり、被検体に対する第２照明の向きや距離を自由に変更できるため、第１照明では励起光を照射しにくい部位に対しても、被検体の所望の角度から所望の強度で励起光を照射することができる。また、たとえば、携帯型の第２照明のみを用いる場合、第２照明を被検体に近付けることにより、励起光を照射可能な範囲が狭くなる。しかしながら、上記のように構成することにより、第１照明によって励起光を照射しつつ携帯型の第２照明からも励起光を照射することが可能となるので、第１照明により励起光の照射範囲を確保しつつ、第２照明により部分的に励起光の強度を強めることができる。また、第２照明から照射される励起光の波長を第１照明から照査される励起光の波長と変更することにより、複数の波長の励起光を照射することができる。また、たとえば、治療が進み、がんの領域が非常に小さくなった場合は、励起光を照射するスポット径を簡便に変更することが可能な携帯型の第２照明を用いることにより、励起光の照射径を容易に調整することができる。これらにより、装置に備え付けの励起光源で対応できない場合でも、対応可能な治療支援装置を提供することができる。
【手続補正４】
【補正対象書類名】明細書
【補正対象項目名】００１０
【補正方法】変更
【補正の内容】
【００１０】
上記一の局面における治療支援装置において、好ましくは、第２照明は、照射される励起光の最大出力値が、第１照明から照射される励起光の最大出力値以下となるように構成されている。このように構成すれば、第２照明の励起光の出力値を第１照明以下とすることが可能となるので、第２照明が高温になることを抑制することができる。また、第２照明から照射される励起光の最高出力値を、第１照明から照射される励起光の最高出力値よりも小さくした場合でも、第２照明と被検体との距離を、第１照明と被検体との距離よりも小さくすることにより、第２照明から被検体に照射される励起光の強度を向上させることができる。その結果、第１照明から照射される励起光の最大出力値を大きくすることなく被検体に照射される励起光の強度を向上させることができる。
第２照明は、第１の数よりも少ない複数の数である第２の数の励起光源を備える。
【国際調査報告】
2019215796.tif 000016
2019215796.tif 000017
2019215796.tif 000018